(57)【要約】【課題】押入やキャビネット等に設置される棚板に吸湿作用や消臭作用、防虫作用等の薬効作用を付与すると共に、薬効作用が低下或いは消滅した場合には容易にそれらを取替できるようにした棚板を提供する。【解決手段】天板パネル５と、該天板パネル５の裏面側に設けられる裏蓋６から成り、天板パネル５と裏蓋６の間に薬剤を収納した袋体７を保持する袋体収容室１８を形成しており、天板パネル５と裏蓋６の少なくとも一方に袋体収容室１８に貫通する通気孔９，１３を設けると共に、天板パネル５と裏蓋６とは相互に設けた係合手段２０を介して互いに着脱可能な構成である。【選択図】図１
2008168060.tif 000002
【特許請求の範囲】
【請求項１】
天板パネルと、該天板パネルの裏面側に設けられる裏蓋から成り、前記天板パネルと裏蓋の間に薬剤を収納した袋体を保持する袋体収容室を形成しており、前記天板パネルと前記裏蓋の少なくとも一方に前記袋体収容室に貫通する通気孔を設けると共に、前記天板パネルと前記裏蓋とは相互に設けた係合手段を介して互いに着脱可能であることを特徴とする棚板。
【請求項２】
前記天板パネルは両側から一体に垂下する側壁を有し、前記裏蓋は前記側壁の内側に配置され、前記天板パネルと前記裏蓋に設けた前記係合手段を嵌め合うことで前記袋体収容室を構成する請求項１記載の棚板。
【請求項３】
前記袋体の表面に前記薬剤の効能の有効性を表示する表示部を設け、前記袋体を前記袋体収容室に収容した状態で前記天板パネルに設けた前記通気孔を介して前記表示部を視認可能とした請求項１又は２記載の棚板。
【請求項４】
前記棚板は、平行に架設された棚受用横桟に対して着脱可能である請求項１乃至３のいずれかに記載の棚板。
【発明の詳細な説明】
【技術分野】
【０００１】
本発明は、押入やキャビネット等の収納空間に設置される棚板に関する。
【背景技術】
【０００２】
従来、押入等の収納効率を高めるために、支脚間に棚受用横桟を架設し、この横桟上に棚板を載置してなる置棚は公知である（例えば、特許文献１）。このような置棚等に設置される棚板は樹脂成型されたものが多く、棚板自体は収納空間の除湿作用等を有するものではない。
【０００３】
また従来、押入等の収納空間の吸湿能力を有する棚板として、木質系材料からなる縦桟と横桟を組み合わせた枠体の表裏に、木質系材料からなる表面パネルと裏蓋を張り合わせ、表面パネルと裏蓋の間に乾燥剤を配置した棚板が公知である（特許文献２）。この棚板によると、木質系材料からなる枠体と表面及び裏蓋が押入等の湿分を吸収すると共に、乾燥剤による湿分の吸収も期待できるため、吸湿能力の高い棚板となっている。
【０００４】
【特許文献１】特開平１１−１８７９４１号公報
【特許文献２】特開２００２−６５３８１号公報
【発明の開示】
【発明が解決しようとする課題】
【０００５】
しかしながら、特許文献２の棚板は、木質系材料からなる枠板に表面パネル及び裏蓋を張り合わせ、その内側に乾燥剤を配置しているため、乾燥剤の吸湿能力が低下した場合には、木質系材料による僅かな吸湿効果しか期待できなくなるという問題がある。
【０００６】
また収納空間の除湿と共に消臭や防虫を行いたい場合には、棚板とは別に消臭用或いは防虫用の薬剤を収納空間に入れておく必要があり、後にそれら薬剤を取り替えようとした場合には、収納空間のどこにそれら薬剤を置いたかを忘れていることが多く、薬効の切れた薬剤を探し出すのに手間がかかる。
【０００７】
このような問題は、押入用に限らず、クローゼットや下駄箱、洗面台キャビネット、流し台キャビネット等に設置される棚板にも共通して見られるものであった。
【０００８】
そこで本発明は、上記課題に鑑みてなされたものであり、押入やキャビネット等に設置される棚板に吸湿作用や消臭作用、防虫作用等の薬効作用を付与すると共に、薬効作用が低下或いは消滅した場合には容易にそれらを取替できるようにした棚板を提供することを目的とする。
【課題を解決するための手段】
【０００９】
上記目的を達成するため、請求項１に係る発明が解決手段として採用したところは、天板パネルと、該天板パネルの裏面側に設けられる裏蓋から成り、前記天板パネルと裏蓋の間に薬剤を収納した袋体を保持する袋体収容室を形成しており、前記天板パネルと前記裏蓋の少なくとも一方に前記袋体収容室に貫通する通気孔を設けると共に、前記天板パネルと前記裏蓋とは相互に設けた係合手段を介して互いに着脱可能である棚板とした点にある。かかる構成によれば、天板パネルと裏蓋の間に収容される薬剤を収納した袋体は、天板パネルと裏蓋を分離することにより、棚板から取り出すことができ、また棚板に収容することができる。
【００１０】
袋体に収納される薬剤は特に限定されるものではないが、棚板の主な用途が、押入、クローゼット、下駄箱、洗面台キャビネット、流し台キャビネット等の収納空間であることからすれば、乾燥剤、消臭剤、防臭剤、脱臭剤、殺虫剤、防虫剤の薬剤とすることが好ましい。特に押入やクローゼット、下駄箱用途の場合には、衣類や布団、靴等の湿分を吸収するために上記薬剤のうち少なくとも乾燥剤を収容しておくことが好ましい。この場合において、棚板に収容する乾燥剤は特に限定されないが、例えばＡ型シリカゲル、Ｂ型シリカゲル、生石灰、塩化カルシウム加工品、シリカアルミナゲル、シート状乾燥剤等を用いることができる。この中でも、特にＢ型シリカゲルは、一定の湿分を吸収するとそれ以上は吸収しなくなるが、天日干しすれば吸収した湿分を大気に放出して再利用可能であるので、乾燥剤として繰り返し長期にわたって使用でき、コストを抑えることができるという点でより好ましい。
【００１１】
また請求項２に係る発明が解決手段として採用したところは、請求項１の構成において、前記天板パネルは両側から一体に垂下する側壁を有し、前記裏蓋は前記側壁の内側に配置され、前記天板パネルと前記裏蓋に設けた前記係合手段を嵌め合うことで前記袋体収容室を構成するようにした点にある。かかる構成によれば、袋体収容室が天板パネルの側壁の内側に形成される。
【００１２】
また請求項３に係る発明が解決手段として採用したところは、請求項１又は２に記載の構成において、前記袋体の表面に前記薬剤の効能の有効性を表示する表示部を設け、前記袋体を前記袋体収容室に収容した状態で前記天板パネルに設けた前記通気孔を介して前記表示部を視認可能とした点にある。かかる構成によれば、薬剤の効能の有効性を確認するために天板パネルと裏蓋を分離する必要がない。
【００１３】
また請求項４に係る発明が解決手段として採用したところは、請求項１乃至３のいずれかに記載の構成において、前記棚板を、平行に架設された棚受用横桟に対して着脱可能とした点にある。かかる構成によれば、棚板から袋体を取り出す際、棚板を横桟から外した状態で天板パネルから裏蓋を取り外す作業を行うことができる。
【発明の効果】
【００１４】
本発明によれば、棚板に収容する袋体に収納された薬剤によって吸湿作用や消臭作用、防虫作用等の薬剤効果を付与することができる。そして薬剤の効能が低下或いは消滅した場合には、天板パネルと裏蓋を分離することにより、棚板から袋体を取り出すことができ、薬剤の交換や再利用を行うことができる。また本発明によれば、薬効の切れた薬剤を取り替える際、薬効の切れた薬剤を探し出す手間がかからない。
【００１５】
特に請求項２に記載の発明によれば、袋体収容室が天板パネルの側壁の内側に形成されるので、薬剤を収納した袋体を保持する袋体収容室が押入等の収納空間を圧迫することがなく、収納物に対して邪魔になることはない。
【００１６】
また請求項３に記載の発明によれば、天板パネルに設けた通気孔を介して袋体に設けた表示部を視認できるので、薬剤の効能の有効性を確認するために天板パネルと裏蓋を分離して袋体を取り出す必要がなく、薬剤の取替時等を容易に把握できる。
【００１７】
また請求項４に記載の発明によれば、棚板から薬剤を取り出す際、棚板を横桟から外した状態で天板パネルと裏蓋の取り外し作業を行うことができるので、作業しやすく効率的である。
【発明を実施するための最良の形態】
【００１８】
以下、本発明の好ましい実施形態を図面に基づいて詳細に説明する。尚、以下においては、置棚に設けられる棚板を例示するが、本発明は置棚用の棚板に限定されるものではない。
【００１９】
図１は押入やクローゼット、下駄箱、洗面台キャビネット、流し台キャビネット等の収納空間に設置される置棚を示す図である。この置棚は、左右に設けた所定高さの支脚１ａ，１ｂと、該支脚１ａ，１ｂの間に２本平行に架設した棚受用の横桟２，２と、該横桟２，２の両端に設けた固定棚板３，３と、固定棚板３，３の間の横桟２，２に対して着脱可能な棚板４とを備えて構成される。横桟２，２は長手方向に伸縮自在であり、棚板４は固定棚板３，３の間の横桟２，２の長さに応じて適宜の枚数が設置される。
【００２０】
図２は棚板４を分解した状態を示す図である。棚板４は、樹脂成形された天板パネル５と、同じく樹脂成形によって形成され、天板パネル５の裏面側に着脱可能に設けられる裏蓋６と、それら天板パネル５と裏蓋６の間に収容される袋体７とを備えている。天板パネル５は平面視略矩形であり、その周縁端部から垂下する側壁８を備えており、該側壁８には横桟２，２に係止するように逆Ｕ字状に開放された掛着部８ａ，８ａが設けられている。尚、側壁８は鉛直荷重に対する補強機能を有しており、天板パネル５の耐荷重を向上させている。また天板パネル５の中央には表裏を貫通する通気孔９が設けられている。また天板パネル５と裏蓋６の相互に着脱可能な係合手段２０を設けており、この係合手段２０を介して裏蓋６が天板パネル５の裏面側に着脱可能とした構成である。
【００２１】
裏蓋６は平面視略矩形であり、その周縁端部には上方に向かって延設した側壁１０を有すると共に、その四隅に係合手段２０を設けている。裏蓋６の係合手段２０は側壁１０の上端を超えて更に上方に延設した係止部材１１と、この係止部材１１の先端において外側に向けて突設した係止爪１２とから構成されている。また裏蓋には、表裏を貫通する複数の通気孔１３を並設している。
【００２２】
袋体７は通気性のある繊維素材によって形成されており、その内部には乾燥剤、消臭剤、防臭剤、殺虫剤、防虫剤等の任意の薬剤が収納される。本実施形態においては袋体７に乾燥剤として天日干しのみで繰り返して使用可能なＢ型シリカゲルを収納する場合を例示する。そして袋体７の表面の少なくとも一部には薬剤の効能の有効性を表示する表示部７ａを透明粘着テープ７ｂ等によって貼着している。本実施形態の場合、薬剤として乾燥剤であるＢ型シリカゲルを用いるので、表示部７ａとして例えばシリカゲルに塩化コバルトを含浸させた青ゲルを使用し、乾燥状態の青色から吸湿状態のピンク色に変色することで乾燥剤の吸湿力が低下したことを視認できるように構成している。但し、このような態様に限られるものではなく、袋体７の一部に内部を視認可能な透明窓を設けて表示部７ａとしても良い。このような袋体７は、天板パネル５に対して裏蓋６を装着したとき、天板パネル５と裏蓋６の間に形成される袋体収容室１８に収容され、保持される。
【００２３】
本実施形態では、天板パネル５の周縁に設けた側壁８の内側に対して裏蓋６が着脱可能であり、裏蓋６を天板パネル５に装着したとき、袋体収容室１８が天板パネル５の裏側において側壁８の内側に形成されるように構成している。天板パネル５の裏面側には、図２に示す如く、裏蓋６の係止部材１１の位置に対応するように補強用の内壁１４を設けており、該内壁１４の上部に係止部材１１の係止爪１２と係合する係止孔１５を設けて係合手段２０を構成している。そして裏蓋６の係止部材１１を天板パネル５の内壁１４の内側に挿入し、係止孔１５に対して裏蓋６の係止爪１２を嵌め込むことにより、裏蓋６を天板パネル５に装着できる。すなわち、天板パネル５と裏蓋６の相互に設けた係合手段２０を互いに嵌め合うことで袋体収容室１８を形成し、天板パネル５と裏蓋６の間に乾燥剤を収納した袋体７を保持するのである。逆に裏蓋６を天板パネル５から取り外す時には内壁１４の外側に突出する係止爪１２を内側に押し込み、係合状態を解除すれば良い。尚、係止爪１２の押し込み操作を容易に行うためには、内壁１４を天板パネル５の長手方向において掛着部８ａ，８ａよりも内側に設けておくことが好ましい。また棚板４は平行に架設された横桟２，２に対して着脱可能であるので、裏蓋６を天板パネル５から取り外す際、棚板４を横桟２，２から外して効率良く作業できるという利点がある。
【００２４】
図３は裏蓋６を天板パネル５に装着し、天板パネル５と裏蓋６の間の袋体収容室１８に乾燥剤を収納した袋体７を設けた状態の断面図である。図３に示す如く、天板パネル５と裏蓋６には袋体７を収容した袋体収容室１８に貫通する通気孔９，１３が設けられているため、棚板４の上下両面から乾燥剤による湿分の吸収を行うことができる。天板パネル５に設けた通気孔９は、棚板４に載置される布団等の収納物と袋体収容室１８との通気性を確保し、収納物に含まれる湿分を吸収できる。また裏蓋６に設けた通気孔１３は、押入等の収納空間と袋体収容室１８との通気性を確保し、収納空間の湿度を抑える。但し、必ずしも、天板パネル５と裏蓋６の双方に通気孔を設ける必要はなく、少なくとも一方に通気孔を設けていれば良い。
【００２５】
また図３に示す如く、裏蓋６を天板パネル５に装着した状態では、裏蓋６は天板パネル５の側壁８の内側に装着され、裏蓋６と側壁８の下端が略面一となるので、袋体収容室１８は天板パネル５の側壁８の内側に形成される。それ故、袋体７を保持するための袋体収容室１８が押入等の収納空間を圧迫することはなく、スペースの有効的な活用が達成されている。
【００２６】
本実施形態では袋体７の表面に薬剤による効能の有効性を表示する表示部７ａを設けているが、この表示部７ａは、袋体７を袋体収容室１８に収容した状態で天板パネル５に設けた通気孔９を介して視認できるように配置されている。図４は棚板４を上方からみた拡大斜視図である。このように袋体７に設けた表示部７ａを棚板４の外部から視認可能なように配置することにより、裏蓋６を外して袋体７を取り出すことなく、薬剤による効能の有効性を確認することができ、適切な取替時を把握できる。本実施形態では表示部７ａが青色であれば乾燥剤による吸湿能力が持続していることを把握でき、ピンク色に変色していれば吸湿能力が低下或いは消滅したことを把握できる。そしてピンク色に変化している場合には、天板パネル５から裏蓋６を外し、袋体７を取り出して天日干しすることにより、Ｂ型シリカゲルが吸湿した湿分は大気中に放出されるので、その後、乾燥剤として再度使用できるようになる。このとき表示部７ａは元の青色に戻る。
【００２７】
また薬剤としてＢ型シリカゲル以外の乾燥剤を使用する場合、或いは乾燥剤以外の薬剤を使用する場合には、表示部７ａによって薬効の低下や消滅が確認できたときに新品の薬剤と交換するようにしても良い。
【００２８】
上記構成を有する棚板４は、裏蓋６が天板パネル５の裏面側に着脱可能であり、天板パネル５と裏蓋６の間に薬剤を収納した袋体７を入れておくことができると共に、薬剤の薬効が低下或いは消滅したときには裏蓋６を天板パネル５から外すことにより、袋体７の取り出しができ、薬剤を交換或いは再生できる。したがって、棚板４の内側で保持する薬剤の薬効が低下した場合であっても、薬剤の交換或いは再生をすることによって初期の薬剤効力を期待できるという利点がある。
【００２９】
また天板パネル５と裏蓋６の間の袋体収容室１８に収容する薬剤は１種に限られず、２種以上の薬剤を袋体収容室１８に収容しておくこともできる。例えば、押入等の収納空間の除湿に加え、消臭や防虫を同時に行いたい場合には、それら薬剤を個別に袋詰した袋体７を天板パネル５と裏蓋６の間の袋体収容室１８に収容するようにしても良い。収納空間に入れておく必要のある、乾燥剤、消臭剤、防臭剤、殺虫剤、防虫剤等の薬剤を全て棚板４の内側の袋体収容室１８に収容しておくことにより、それら薬剤の取替時に探し出す手間がかからず、効率的な取替が行える。
【００３０】
尚、上記においては、置棚の横桟２，２に対して着脱可能な棚板４を、天板パネル５と裏蓋６からなり、その間に薬剤を収容する袋体収容室１８を形成すると共に、天板パネル５と裏蓋６を着脱可能として薬剤の取替ができるように構成した場合を例示したが、固定棚板３，３に対しても上述と同様の構成を採用しても良い。
【００３１】
また上記においては押入等に設置される置棚の棚板４を例に挙げたが、本発明が適用可能な棚板はこれに限られず、例えば対向する壁面間に水平かつ平行な２本の突っ張り棒を設け、それら突っ張り棒の間に架設される棚板であっても良い。また床と天井の間の鉛直方向に突っ張り棒を設け、その突っ張り棒によって所定高さで水平に支持された棚板であっても良い。更には、スノコの棚板構造を上述した構造としても良い。
【図面の簡単な説明】
【００３２】
【図１】押入等の収納空間に設置される置棚を示す図である。
【図２】本発明の一例である棚板を分解した状態を示す図である。
【図３】裏蓋を天板パネルに装着し、棚板に薬剤を収容した状態の断面図である。
【図４】袋体を収容した棚板を上方からみた拡大斜視図である。
【符号の説明】
【００３３】
２  横桟
３  固定棚板（棚板）
４  棚板
５  天板パネル
６  裏蓋
７  袋体（薬剤）
７ａ  表示部
８  側壁
９  通気孔
１１  係止部材
１２  係止爪
１３  通気孔
１４  内壁
１５  係止孔
１８  袋体収容室
２０  係合手段
【図１】
2008168060.tif 000003
【図２】
2008168060.tif 000004
【図３】
2008168060.tif 000005
【図４】
2008168060.tif 000006